(57)【特許請求の範囲】
【請求項１】
表編地層と裏編地層とからなる両面編地であって、裏編地層は表編地層と接結された凹部面と表編地層と接結されてない凸部面からなり、凹部面と凸部面の面積比が１：４〜４：１である柄が裏編地層に形成され、かつ凹部面が延伸糸または１５％以下の捲縮率の加工糸である疎水性フィラメントにて構成され、凸部面が単糸デニールの比が１：１．３以上である２種以上の複合化された疎水性フィラメントにて構成されたことを特徴とする両面編地。
【請求項２】
凸部面を構成する疎水性フィラメントのうちの少なくとも１種が異形断面フィラメントである請求項１記載の両面編地。
【請求項３】
両面編地が親水化処理されている請求項１記載の両面編地。
【発明の詳細な説明】
【０００１】
【産業上の利用分野】
本発明は、両面編地に関する。
【０００２】
【従来の技術】
従来、スポーツウエア、肌着等においては、裏側面の編地層、いわゆる裏編地層に綿等の親水性繊維を用いた両面編地が多く採用されており、かかる両面編地の採用の理由は、親水性繊維の有する優れた吸湿性により着心地の良さにある。
【０００３】
しかしながら、裏編地層に親水性繊維を用いた両面編地は、発汗の激しい運動時のムレ感、ベトツキ感や運動後の冷感等の不快感をしばしば与える。これは、裏編地層に用いた親水性繊維の保水性が大きいため、表編地層への移行、拡散が少なく、汗が滞留することによると考えられる。肌着等においても同様の現象が見られ、裏編地層に親水性繊維を用いた両面編地の大きな欠点の一つとなっている。
【０００４】
この発汗による不快感を解消するという課題に対しては、従来より編地についての多くの提案がなされている。その第１の提案は、裏編地層を疎水性繊維で構成する両面編地であり、例えば裏編地層を疎水性繊維、表編地層を親水性繊維で構成する２層構造編地、裏、表編地層を疎水性繊維、中間層を親水性繊維で構成する３層構造編地である。第２の提案は、図２に示すように、リバーシブル組織を応用した編地で、例えば表編地層１、中間層２にポリエステル加工糸、裏編地層３に綿糸を用いる。第３の提案は、編地の親水性向上の化学的後加工処理である。
【０００５】
しかしながら、これら提案の編地においても、着用快適性を充分満足するまでには至っていない。即ち第１の提案の裏編地層に疎水性繊維を用いた２層構造編地或いは３層構造編地においては、裏編地層に親水性繊維を用いたものに比し、多量の発汗が生じた場合に保水性が劣ること、毛細管現象による汗の移行にも限界があることによりベタツキ感を解消するに至っていない。
【０００６】
また、裏編地層に疎水性繊維を用いた両面編地は、裏編地層に親水性繊維を用いた両面編地に比し、発汗の少ない場合の着心地が劣るという大きな欠点が多く指摘されている。この理由は、裏編地層と肌との間の湿度が親水性繊維を用いた場合に比して短時間に飽和に達するためと考えられる。
【０００７】
第２の提案については、裏編地層が平坦であるため、肌との接触面積が大きく、多量の発汗の際、不快感をむしろ生み出す要因となり、また裏編地層が全て親水性繊維であるため、汗は、裏地層に多く滞留し、ポリエステル加工糸は、充分に汗の移行、拡散作用を果たしていない。また、第３の提案については、洗濯回数が多くなると、その効果が洗濯回数の増加に従い低下し、恒久的な性能維持は、不可能である。
【０００８】
【発明が解決しようとする課題】
本発明は、着用快適性に優れ、また発汗による不快感を解消し、かつこれら性能を恒久的に維持ずる両面編地を提供することにある。
【０００９】
【課題を解決するための手段】
本発明は、表編地層と裏編地層とからなる両面編地であって、裏編地層は表編地層と接結された凹部面と表編地層と接結されてない凸部面からなり、凹部面と凸部面の面積比が１：４〜４：１である柄が裏編地層に形成され、かつ凹部面が延伸糸または１５％以下の捲縮率の加工糸である疎水性フィラメントにて構成され、凸部面が単糸デニールの比が１：１．３以上である２種以上の複合化された疎水性フィラメントにて構成されたことを特徴とする両面編地にある。
【００１０】
図１に、本発明の両面編地の例のモデル横断面図を示したが、本発明の両面編地は、表編地層４と裏編地層５とからなり、裏編地層５は表編地層４と接結された凹部面６と表編地層４と接結されてない凸部面７からなるリバーシブル編地である。本発明の両面編地の裏編地層５においては、凹部面６と凸部面７とにより柄が裏編地層５に形成されていることが必要であり、凹部面６と凸部面７とによる柄の形成においては、凹部面６と凸部面７の面積比を１：４〜４：１、好ましくは１：２〜２：１とする。
【００１１】
なお、本発明においては、凹部面６、凸部面７とは、１ループが連続する点或いは線ではなく、凹部、凸部がウエル及びまたはコース方向に２以上連続して形成された面部分をいう。凹部、凸部が点或いは線であると、面に比べ汗の吸収、拡散が極めて不充分である。
【００１２】
凹部面６、凸部面７は、ウエール数とコース数の積による面積より決定されるが、凹部面６と凸部面７の面積比が１：４〜４：１の範囲外となると、肌に接する部分が凹部面６或いは凸部面７の一方に偏り、汗の吸収作用、移行、拡散作用の一方のみの作用しか発揮されず本発明の目的が達せられない編地となる。凹部面６、凸部面７の面の大きさは、編組織、糸構成等にもよるが、面が大きすぎると、汗の吸収作用、移行、拡散作用に偏りが生ずるので、前記面積比の範囲で凸部面７が均一に配されることが望ましい。
【００１３】
図３に、本発明の両面編地の裏編地層の柄の例のモデル平面図を示したが、単位面積８において、疎水性フィラメント９は、３コース×２ウエル＝６、複合化された疎水性フィラメント１０は、３コース×２ウエル＝６であり、従い、疎水性フィラメント９により構成される凹部面と複合化された疎水性フィラメント１０により構成される凸部面の面積比は、６：６＝１：１となる。
【００１４】
本発明においては、凹部面は、延伸糸または１５％以下の捲縮率の加工糸である疎水性フィラメントにて構成される。凹部面を構成する疎水性フィラメントは、汗の移行、拡散作用を発揮する。凹部面を親水性繊維或いは疎水性スパンで構成すると、親水性繊維にあっては、高い保水性により汗を滞留させ、疎水性スパンにあっては、糸の交絡により汗を滞留させることにより、汗の移行、拡散作用を低下させる。
【００１５】
従い、凹部面を構成する疎水性フィラメントとして捲縮を有する加工糸を用いる場合は、糸の交絡が少ない或いは殆どない、捲縮率が１５％以下の加工糸を用いることが必要となる。本発明における加工糸の捲縮率は、以下のようにして求める。
【００１６】
１）試料を、枠周１ｍの検尺機で下記荷重（Ｗ０）の張力下で１０回巻き１０ｍ      のカセを作り、９０℃の熱水中にて２０分熱処理後、２０℃、６５％ＲＨ      で２４時間放置する。
２）カセを垂直の状態とし下端に下記初荷重（Ｗ１）をかけ１分放置後、初荷重      （Ｗ１）を除く。
３）下記荷重（Ｗ２）をかけ１分放置後カセ長（Ｌ１）を測り荷重（Ｗ２）を除く      。
４）２分放置後、再び初荷重（Ｗ１）をかけ１分放置後カセ長（Ｌ２）を測る。
５）下記式により捲縮率を算出する。
【００１７】
荷重（Ｗ０）：表示繊度の１デニール当たり１／１０のｇ数
初荷重（Ｗ１）：表示繊度の１デニール当たり２／１０００×２０のｇ数
荷重（Ｗ２）：表示繊度の１デニール当たり１／１０×２０のｇ数
捲縮率（％）＝（Ｌ１−Ｌ２）／Ｌ１×１００
【００１８】
また、凸部面は、２種以上の複合化された疎水性フィラメント（複合化疎水性フィラメント）にて構成される。凸部面を親水性スパンまたはフィラメント或いは疎水性スパンで構成すると、親水性スパンまたはフィラメントにあっては、汗の吸収作用に優れるものの、汗の移行、拡散作用が充分でなく、疎水性スパンにあっては、汗の吸収作用が不充分である。
【００１９】
凸部面を構成する複合化疎水性フィラメントは、単糸デニールの比が１：１．３以上、好ましくは１：２以上である２種以上のフィラメントを複合化したものであることが必要であり、例えば、１５０デニール（ｄ）／９６フィラメント（ｆ）のフィラメントと１５０ｄ／３０ｆのフィラメントを複合化した場合、単糸デニールの比は、１．５６：５＝１：３．２１となる。かかる単糸デニール構成とした複合化疎水性フィラメントは、直接肌に接し汗の吸収作用を発揮するだけでなく、移行、拡散作用を発揮する。
【００２０】
また、複合化疎水性フィラメントのうちの少なくとも１種は、単糸デニールが、２ｄ以下、特に１ｄ以下のフィラメントであることが毛細管現象による汗の吸収作用を助長し、また着心地の面から好ましい。更に、複合化疎水性フィラメントのうちの少なくとも１種が異形断面フィラメントであることが、汗の吸収作用だけでなく、移行、拡散作用の面で好ましく、円形断面と円形断面の組み合わせより円形断面と三角断面、更には円形断面とＹ断面または中空断面の組み合わせが効果的である。
【００２１】
本発明において、凹部面、凸部面を構成する疎水性フィラメントとしては、２０℃、６５％ＲＨにおける水分率が５％以下のフィラメントで、ポリエステル繊維、ポリアミド繊維、アクリル繊維等のフィラメント、特にマルチフィラメントが挙げられ、これらが混繊等複合化されていてもよい、また、複合化疎水性フィラメントにおける複合化は、混繊、合糸、合撚等の任意の手段に拠ってよい。
【００２２】
本発明の両面編地における表編地層の組織については、特に限定するものではないが、表編地層から外気中への汗の発散を助長するためハニカム、ピケ等の表面積の大きな組織が好ましい。表編地層を構成する糸は、特に限定はないが、疎水性または親水性のフィラメント或いはスパンが用いられる。
【００２３】
本発明においては、裏編地層の凹部面、凸部面の形成方法は、特に限定されるものではないが、裏編地層の凹部面を構成する疎水性フィラメントを表編地層とタック接結し、凸部面を構成する複合化疎水性フィラメントを表編地層とはタック接結せずに天竺編とすることによりリバーシブル編地となる。従って、得られる編地は、２層構造を有する両面編地となり、各々の層に新たな機能を付与することもできる。
【００２４】
表編地層においては、ハニカム、ピケ、綾等の変化組織を採用することもでき、美観に優れた編地を得ることができる。更に表編地層に高強力糸を用いる場合には、着心地、発汗時の快適性に優れる高強力リバーシブル編地を得ることができる。
【００２５】
また、裏編地層においても、凹部面、凸部面を、それらの面積比だけでなく、組み合わせ、凹凸差等を変化させることによって新たな効果を創出することができる。例えば、凹部面と凸部面の組み合わせにより市松柄等の任意の柄を選択することができ、表編地層が均整で、裏編地層が凹凸で柄模様の変化のあるリバーシブル編地を得ることもできる。また、凹部面と凸部面の凹凸差に変化を加え、例えば凸部面の複合化疎水性フィラメントの編目を高くし編目内の空気抱合量を高めて、保温、クッション性に優れたリバーシブル編地としたり、凹部面を細繊度の疎水性フィラメントで構成し、凸部面の高さを高くして、軽量感に優れたリバーシブル編地とすることができる。
【００２６】
本発明の両面編地は、少なくとも裏編地層の凹部面及び凸部面が疎水性フィラメントで構成されるが、本発明の両面編地が親水化剤、例えばポリエチレングリコールに代表されるポリオキシアルキレングリコール等で親水化処理されていてもよく、かかる親水化処理により、汗の吸収作用、移行、拡散作用が更に高められる。親水化処理方法は、特に限定されるものではなく、親水化剤、処理方法は、両面編地の糸構成、編組織等により選択される。
【００２７】
【実施例】
以下、本発明を実施例により具体的に説明する。
【００２８】
（実施例１）
２０ゲージのダブルジャージイ機を用いて、表編地層にブライトポリエステル加工糸１５０ｄ／４８ｆを用い、裏編地層の凹部面にブライトポリエステル延伸糸７５ｄ／２４ｆ、凸部面にセミダルポリエステル加工糸７５ｄ／３６ｆとセミダルポリエステル加工糸１００ｄ／７２ｆをエアーにより混繊した複合化フィラメントを用い、リバーシブル編地を形成した。
【００２９】
編成の際、裏編地層を凹部面と凸部面とで、コース数×ウエール数の積を各々６、凹部面と凸部面の面積比１：１の市松柄とし、表編地層は、ハニカムのリバーシブル編地とした。染仕上げ後の目付を３００ｇ／ｍ２とし、縫製してトレーニングウエアとした。このトレーニングウエアを着用した結果、着心地に優れ、ジョギングによる発汗時の着用テストにおいても、汗は、肌に接する凸部面の複合化フィラメント層を通し、内部の疎水性フィラメントへと移行、拡散することを確認した。
【００３０】
また、表編地層がブライトポリエステル加工糸１５０ｄ／４８ｆ、裏編地層の凹部面がブライトポリエステル延伸糸７５ｄ／２４ｆ、凸部面がセミダルポリエステルＹ断面糸７５ｄ／３６ｆとセミダルポリエステル加工糸１００ｄ／７２ｆをエアーにより混繊した複合化フィラメントを用い、同様にして形成した編地でトレーニングウエアとした。
【００３１】
このトレーニングウエアを、表編地層がブライトポリエステル加工糸１５０ｄ／４８ｆ、タック部がブライトポリエステル加工糸７５ｄ／２４ｆ、裏編地層が綿／ポリエステル混紡糸３０／１を用いた目付３００ｇ／ｍ２のリバーシブル編地のレーニングウエアと比較したが、発汗時のムレ感、ベトツキ感及び運動後の冷感が改善され、また、編地の編成の際の工程通過性も比較編地の編成の際に比較して極めて良好であった。
【００３２】
【発明の効果】
本発明の両面編地は、衣料として着用使用の際、発汗時には、肌に接する裏編地層の凸部面で汗が主に吸収されると共に移行、拡散され、裏編地層の凹部面では移行、拡散された汗が更に移行、拡散され、裏編地層が疎水性フィラメントで構成されていながら、良好な汗の吸収、移行、拡散効果を奏する。また、裏編地層の凹部面は肌に直接密に接することないので、汗によるベトツキ感等の不快感がなく、着心地がよいので、着用快適性に優れ、かつこれら性能を構造的に付与したもので恒久性を有するものである。
【００３３】
更に、本発明の両面編地は、スポーツウエア、肌着等着用使用時に多くの発汗を伴う衣料、特にスポーツウエアの素材として好適なるものであり、また、編地の主たる構成繊維が疎水性フィラメントであることにより、編成の際、疎水性フィラメントに基づき、工程通過性良好に両面編地を得ることができる。
【図面の簡単な説明】
【図１】本発明の両面編地の例のモデル横断面図である。
【図２】通常のリバーシブル編地のモデル横断面図である。
【図３】本発明の両面編地の裏編地層の柄の例のモデル平面図である。
【符号の説明】
１  表編地層
２  中間層
３  裏編地層
４  表編地層
５  裏編地層
６  凹部面
７  凸部面
【図１】
0003610102.tif 000002
【図２】
0003610102.tif 000003
【図３】
0003610102.tif 000004